(57)【要約】【課題】  より合理的に構成された展示用什器を得ること。【解決手段】  展示品２をそれぞれ配置する複数の引出し部と、複数の引出し部を出し入れ可能に収納する外箱２００とを備えた展示用什器において、複数の引出し部としては、外箱の正面から見て右側に引出す第１引出し部１００ａと、左側に引出す第２引出し部とを備え、各引出し部は、外箱の正面側に向けられる展示面１１０と、展示面に展示品を係止する係止手段１２０とをそれぞれ備えるとともに、外箱に対しては、外箱の正面から見て前後方向に重なる状態で収納されるようにした。係止手段は、展示面に雌ねじ孔１２１を設けるとともに、展示面の正面側から雌ねじ孔に雄ねじ部品１２２を螺合してなり、雄ねじ部品の螺合方向の先端には、すり割り１２２ａを設け、雄ねじ部品の突出量は、すり割りを操作することにより、展示面の背面側からも調整されるようにした。【選択図】図６
2009028386.tif 000002
【特許請求の範囲】
【請求項１】
展示品をそれぞれ配置する複数の引出し部と、前記複数の引出し部を出し入れ可能に収納する外箱とを備えた展示用什器において、
前記複数の引出し部としては、前記外箱の正面から見て右側に引出す第１引出し部と、前記外箱の正面から見て左側に引出す第２引出し部とを備え、
前記第１引出し部及び前記第２引出し部は、前記外箱の正面側に向けられる展示面と、前記展示面に前記展示品を係止する係止手段とをそれぞれ備えるとともに、前記外箱に対しては、前記外箱の正面から見て前後方向に重なる状態で収納されるようにしたことを特徴とする展示用什器。
【請求項２】
前記展示面には、前記係止手段を挿通する孔部を備えた装飾用のボードを装着するようにしたことを特徴とする請求項１記載の展示用什器。
【請求項３】
前記係止手段は、前記展示面に雌ねじ孔を設けるとともに、前記展示面の正面側から前記雌ねじ孔に雄ねじ部品を螺合してなり、前記展示面の正面側に対する前記雄ねじ部品の突出量が、前記雄ねじ部品を回転することによって調整されるものであり、
前記雄ねじ部品の螺合方向の先端には、すり割りを設け、
前記雄ねじ部品の突出量は、前記すり割りを操作することにより、前記展示面の背面側からも調整されるようにしたことを特徴とする請求項１又は２記載の展示用什器。
【請求項４】
展示品をそれぞれ配置する複数の引出し部と、前記複数の引出し部を出し入れ可能に収納する外箱とを備えた展示用什器において、
前記引出し部は、前記外箱の正面側に向けられる展示面と、前記展示面に前記展示品を係止する係止手段とを備え、
前記係止手段は、前記展示面に雌ねじ孔を設けるとともに、前記展示面の正面側から前記雌ねじ孔に雄ねじ部品を螺合してなり、前記展示面の正面側に対する前記雄ねじ部品の突出量が、前記雄ねじ部品を回転することによって調整されるものであり、
前記雄ねじ部品の螺合方向の先端には、すり割りを設け、
前記雄ねじ部品の突出量は、前記すり割りを操作することにより、前記展示面の背面側からも調整されるようにしたことを特徴とする展示用什器。
【発明の詳細な説明】
【技術分野】
【０００１】
本発明は、壁掛け時計等の展示品を展示する什器に関する。
【背景技術】
【０００２】
展示用什器としては、展示品の形態等に応じて各種のものが提案されている。例えば特許文献１の図５には、引出し部を鉛直姿勢に配置し、これを外箱に対して水平方向に出し入れするものが開示されている。
【特許文献１】特開２０００−１５７３８８号公報
【発明の開示】
【発明が解決しようとする課題】
【０００３】
さて、販売店や展覧会場において、壁掛け時計のような壁掛けタイプの展示品を展示する場合は、通常、部屋の壁面に設置場所を設けて、そこに展示品を配置する。但し、壁面の面積には限りがあるので、より多くの展示品を展示するためには、複数の展示品を積層して収納し、それらを選択的に展示する什器が必要となる。特許文献１の図５に開示されているような什器である。
【０００４】
しかし、このような什器については、複数の引出し部を引出すと重心が偏ることにより、全体の重量バランスが不安定になるという不都合がある。かかる不都合は、重量の大きい展示品を展示するものや、外箱に対する引出し部の位置が高いものにおいて顕著である。また、展示スペースを有効利用するという点についても、更なる工夫が必要である。本発明は、かかる事情に鑑みてなされたものであり、その目的は、より合理的に構成された展示用什器を提供することである。
【課題を解決するための手段】
【０００５】
本願第１請求項に記載した発明は、展示品をそれぞれ配置する複数の引出し部と、前記複数の引出し部を出し入れ可能に収納する外箱とを備えた展示用什器において、前記複数の引出し部としては、前記外箱の正面から見て右側に引出す第１引出し部と、前記外箱の正面から見て左側に引出す第２引出し部とを備え、前記第１引出し部及び前記第２引出し部は、前記外箱の正面側に向けられる展示面と、前記展示面に前記展示品を係止する係止手段とをそれぞれ備えるとともに、前記外箱に対しては、前記外箱の正面から見て前後方向に重なる状態で収納されるようにした構成の展示用什器である。
【０００６】
本願第２請求項に記載した発明は、請求項１において、前記展示面には、前記係止手段を挿通する孔部を備えた装飾用のボードを装着するようにした構成の展示用什器である。
【０００７】
本願第３請求項に記載した発明は、請求項１又は２において、前記係止手段は、前記展示面に雌ねじ孔を設けるとともに、前記展示面の正面側から前記雌ねじ孔に雄ねじ部品を螺合してなり、前記展示面の正面側に対する前記雄ねじ部品の突出量が、前記雄ねじ部品を回転することによって調整されるものであり、前記雄ねじ部品の螺合方向の先端には、すり割りを設け、前記雄ねじ部品の突出量は、前記すり割りを操作することにより、前記展示面の背面側からも調整されるようにした構成の展示用什器である。
【０００８】
本願第４請求項に記載した発明は、展示品をそれぞれ配置する複数の引出し部と、前記複数の引出し部を出し入れ可能に収納する外箱とを備えた展示用什器において、前記引出し部は、前記外箱の正面側に向けられる展示面と、前記展示面に前記展示品を係止する係止手段とを備え、前記係止手段は、前記展示面に雌ねじ孔を設けるとともに、前記展示面の正面側から前記雌ねじ孔に雄ねじ部品を螺合してなり、前記展示面の正面側に対する前記雄ねじ部品の突出量が、前記雄ねじ部品を回転することによって調整されるものであり、前記雄ねじ部品の螺合方向の先端には、すり割りを設け、前記雄ねじ部品の突出量は、前記すり割りを操作することにより、前記展示面の背面側からも調整されるようにした構成の展示用什器である。
【発明の効果】
【０００９】
本発明によれば、より合理的に構成された展示用什器を得ることができる。
【発明を実施するための最良の形態】
【００１０】
以下に、本発明の実施例を図面に基づいて説明する。図１乃至図８に示す本例の展示用什器１は、壁掛け時計を展示品２として展示するべく工夫が施された什器である。この展示用什器１は、展示品２をそれぞれ配置する複数の引出し部１００ａ，１００ｂと、これら複数の引出し部１００ａ，１００ｂを出し入れ可能に収納する外箱２００とを備えている。複数の引出し部としては、外箱２００の正面から見て右側に引出す第１引出し部１００ａと、外箱２００の正面から見て左側に引出す第２引出し部１００ｂとを備えている。
【００１１】
第１引出し部１００ａ及び第２引出し部１００ｂは、外箱２００の正面側に向けられる展示面１１０と、展示面１１０に展示品２を係止する係止手段１２０とをそれぞれ備えている。通常の家具の引出し部が水平姿勢であるのに対し、これらは鉛直姿勢となっている。適宜部位には、取っ手１４０が設けられている。また、外箱２００に対しては、それぞれ多段式のスライドレール１３０を介して支持されており、且つ外箱２００の正面から見て前後方向に重なる状態で収納されるようにした。図例の展示用什器１は、複数の第１引出し部１００ａ及び複数の第２引出し部１００ｂを外箱２００の正面から見て前後方向に重なる状態で収納する部位を上下に列設したものとなっている。展示品２は、各引出し部１００ａ，１００ｂを選択的に引出すことにより展示される。
【００１２】
外箱２００は、縦長の直六面体を呈するものである。外箱２００の下部は、予備の展示品等を収納する収納スペース２１０となっている。収納スペース２１０には、これを覆う扉２１１が設けられている。また、外箱２００の正面は、ポスターやパネルを掲示する掲示板２２０となっている。外箱２００の下面には、キャスター２３０が設けられている。
【００１３】
展示面１１０に展示品２を係止する係止手段１２０は、展示面１１０に雌ねじ孔１２１を設けるとともに、展示面１１０の正面側から雌ねじ孔１２１に雄ねじ部品１２２を螺合してなるものである。展示品２の背面の要所には、雄ねじ部品１２２に係止する係止部２ａが設けられている。展示面１１０の正面側に対する雄ねじ部品１２２の突出量は、雄ねじ部品１２２を回転することによって調整される。展示品２は、係止部２ａを雄ねじ部品１２２に係止することにより、展示面１１０に配置される。
【００１４】
本例の場合、雄ねじ部品１２２の螺合方向の先端には、すり割り１２２ａを設けている。この雄ねじ部品１２２の突出量は、展示面１１０の背面側から雌ねじ孔１２１に回転工具を挿入してすり割り１２２ａを操作することにより、展示面１１０の背面側からも調整される。これにより、雄ねじ部品１２２の頭部座面にて展示品２を展示面１１０に押し付けることが可能である。
【００１５】
作業手順は、次の通りである。まず、雌ねじ孔１２１に雄ねじ部品１２２を螺合する（図８（ａ）参照）。このとき、雄ねじ部品１２２の突出量は、雄ねじ部品１２２の頭部と展示面１１０との間にある程度のクリアランスが形成されるように調整する。次に、雄ねじ部品１２２に展示品２の係止部２ａを引っ掛ける（図８（ｂ）参照）。そして、展示面１１０の背面側からすり割り１２２ａを操作して、雄ねじ部品１２２の頭部座面が展示品２を展示面１１０に押し付ける状態となるまで雄ねじ部品１２２の突出量を漸次短くする（図８（ｃ）参照）。尚、図８（ｃ）中の白矢印は、雄ねじ部品１２２の螺合方向を示している。雄ねじ部品１２２に展示品２の係止部２ａを引っ掛けると、展示面１１０の正面側から雄ねじ部品１２２の頭部を操作することは不可能又は困難となる。この点、本例では、すり割り１２２ａを操作する構成とした。
【００１６】
尚、展示面１１０には、雌ねじ孔１２１を複数設けておくとよい。すなわち、配置する展示品２の大きさや係止部２ａの位置に応じて、それらのなかから使用する雌ねじ孔１２１を選択するよう構成すると便利である。
【００１７】
この係止手段１２０によると、展示面１１０に対し展示品２を簡単且つ堅固に固定することができる。通常、この種の展示品２は、壁に雄ねじ部品１２２のようなフック部を設け、そのフック部に引っ掛けて壁掛けされる。しかし、展示用什器１の場合、引っ掛けただけの状態では、引出し部１００ａ，１００ｂを出し入れする際に展示品２がグラグラと揺れてしまうことになる。そこで、本願発明者は、こうした問題に対処すべく鋭意検討を重ね、かかる係止手段１２０の構成を発案した次第である。
【００１８】
以上説明した本例の展示用什器によると、外箱の正面から見て前後方向に重なる状態で収納された複数の引出し部が、外箱の正面から見て右側と左側にそれぞれ引出されるので、全体の重心が右側及び左側の一方に極端に偏る事態を回避することができる。この重量バランスが安定するという利点は、重量の大きい展示品を展示するものや、外箱に対する引出し部の位置が高いものにおいて非常に有効である。また、本例の展示用什器は、正面から見て左右両側にそれぞれ展示品を展示するものであり、限られた展示スペースを有効利用するという点においても、極めて優れたものとなっている。特に、第１引出し部及び第２引出し部を外箱の正面から見て前後方向に重なる状態で収納することによれば、外箱の正面面積に対し、両引出し部の展開面積が大きくなるという利点がある。尚、本例における各部の構成は、特許請求の範囲に記載した技術的範囲において適宜に設計変更が可能であり、図例説明したものに限定されないことは勿論である。
【００１９】
次に、本例の第２実施例を図９及び図１０に基づいて説明する。本例の場合、各展示面１１０には、係止手段１２０を挿通する孔部１５１を備えた装飾用のボード１５０をそれぞれ装着している。各ボード１５０は、引出し部１００ａ，１００ｂの内側に遊嵌され且つ展示品２と展示面１１０との間に挟まれた状態となっている。ボード１５０としては、色彩や質感が異なるものを複数用意しておき、配置する展示品２の背景として適当なものを選んで装着する。展示品２の見栄えは、背景にも大きく影響されるところ、このようなボード１５０によれば、各展示品２に応じて背景を簡単に設定することができる。
【産業上の利用可能性】
【００２０】
本発明の展示用什器は、販売店や展覧会場において、壁掛け時計のような壁掛けタイプの展示品を展示する什器として好適に利用することが可能である。
【図面の簡単な説明】
【００２１】
【図１】本発明の実施例に係り、展示用什器を示す正面図である。
【図２】本発明の実施例に係り、図１のＸ−Ｘ断面図、すなわち展示用什器を示す右側面断面図である。
【図３】本発明の実施例に係り、展示用什器を示す右側面図である。
【図４】本発明の実施例に係り、展示用什器を示す左側面図である。
【図５】本発明の実施例に係り、展示用什器を示す正面図（引出し部を引出した状態）である。
【図６】本発明の実施例に係り、展示用什器を示す正面図（展示品を展示した状態）である。
【図７】本発明の実施例に係り、（ａ）は引出し部及び展示品を示す右側面断面図、（ｂ）は（ａ）の要部拡大図である。
【図８】本発明の実施例に係り、（ａ）は雌ねじ孔に雄ねじ部品を螺合した状態を示す右側面断面図、（ｂ）は雄ねじ部品に展示品の係止部を引っ掛けた状態を示す右側面断面図、（ｃ）は雄ねじ部品の頭部座面にて展示品を展示面に押し付けた状態を示す右側面断面図である。
【図９】本発明の実施例に係り、展示用什器を示す正面図（展示品を展示した状態）である。
【図１０】本発明の実施例に係り、引出し部及び展示品を示す右側面断面図である。
【符号の説明】
【００２２】
１    展示用什器
２    展示品
２ａ    係止部
１００ａ    第１引出し部
１００ｂ    第２引出し部
１１０    展示面
１２０    係止手段
１２１    雌ねじ孔
１２２    雄ねじ部品
１２２ａ    すり割り
１３０    スライドレール
１４０    取っ手
１５０    ボード
１５１    孔部
２００    外箱
２１０    収納スペース
２１１    扉
２２０    掲示板
２３０    キャスター
【図１】
2009028386.tif 000003
【図２】
2009028386.tif 000004
【図３】
2009028386.tif 000005
【図４】
2009028386.tif 000006
【図５】
2009028386.tif 000007
【図６】
2009028386.tif 000008
【図７】
2009028386.tif 000009
【図８】
2009028386.tif 000010
【図９】
2009028386.tif 000011
【図１０】
2009028386.tif 000012